(57)【要約】【課題】前面側への突出が制約される位置にスピーカーを設置可能に構成した遊技機を提供する。【解決手段】演出部が臨む窓口が形成された前枠ベース部材３０と、前枠ベース部材３０の前面側に着脱可能に設けられて装飾部を有する枠装飾カバー３６とを備え、当該窓口の下部側に位置する枠装飾カバー３６の前枠ベース部材３０に対する前方への突出幅を、当該窓口の上部側に位置する枠装飾カバー３６の前枠ベース部材３０に対する前方への突出幅より低くなるよう構成すると共に、前枠ベース部材３０の窓口に対して、上球受け皿１４の配置側に位置する枠装飾カバー３６の裏側に形成されたスピーカー設置開口部６２に、振動板６０ａを支持するフレーム体６０ｂにより当該振動板６０ａの裏側空間を密閉するよう構成したスピーカー６０を臨ませるよう取り付けた。【選択図】図６
2020081029.tif 000002
【特許請求の範囲】
【請求項１】
本体部材と、前記本体部材に対して開閉可能に設けられて機前面を形成する前面部材とを備え、前記前面部材にスピーカーを設けた遊技機において、
前記前面部材は、
演出部が臨む窓口が形成されたベース部材と、
前記ベース部材の前面側に着脱可能に設けられて装飾部を有する前側部材とを備え、
遊技媒体の貯留部を有する貯留部材が前記ベース部材の窓口より下方に位置するよう配置されると共に、当該窓口の下部側に位置する前記前側部材の前記ベース部材に対する前方への突出幅を、当該窓口の上部側に位置する前記前側部材の前記ベース部材に対する前方への突出幅より低くなるよう構成すると共に、
前記ベース部材の窓口に対して、遊技媒体の貯留部を有する貯留部材の配置側に位置する前記前側部材の裏側に形成された開口部に、振動板を支持するフレーム体により当該振動板の裏側空間を密閉するよう構成したスピーカーを臨ませるよう取り付けた
ことを特徴とする遊技機。
【請求項２】
前記ベース部材における前記窓口の上部位置と下部位置に設けたスピーカー設置部に、振動板を支持するフレーム体に開口部を有して当該振動板の裏側空間が開放したスピーカーが取り付けられると共に、当該スピーカー設置部にスピーカーの後方を密閉する箱体を設けた請求項１記載の遊技機。
【請求項３】
前記窓口を透視可能に覆う透視保護部材で前記スピーカーの裏側を透視可能に覆うよう構成した請求項１または２記載の遊技機。
【発明の詳細な説明】
【技術分野】
【０００１】
本発明は、各種の音を出力するスピーカーを備えた遊技機に関するものである。
【背景技術】
【０００２】
従来より、所定の遊技媒体を用いて遊技を行うパチンコ機やパチスロ機といった遊技機が広く知られている。このような遊技機は、遊技店の設置枠台に固定される固定枠に対して図柄変動等の各種演出を行う演出装置が配設されると共に、該固定枠に対して開閉可能に支持されて遊技機前面を装飾する前面部材とを備えており、固定枠に対して前面部材を閉じた状態で、当該前面部材に設けた窓口を介して演出装置を視認可能に構成されている。また、遊技機には、各種効果音を出力するスピーカーを前面部材等に配設し、演出装置で行なわれる遊技演出に合わせて各種効果音をスピーカーから出力することで、遊技の臨場感や興趣を高めるようにしている(例えば、特許文献１参照)。
【先行技術文献】
【特許文献】
【０００３】
【特許文献１】特開２００６−２８８４７８号公報
【発明の概要】
【発明が解決しようとする課題】
【０００４】
このようなスピーカーは、その性能を最大限まで引き出すために、スピーカーの後方を箱体等で覆うなどして密閉したエンクロージャ構造とすることが一般的である。しかしながら、スピーカーの後方を箱体で覆うエンクロージャ構造では、スピーカーの設置に要するスペースが嵩張り、遊技者が手に触れるパチンコ球等の遊技媒体を貯留する貯留部材の近傍のように、前面側への突出が制約される位置にはスピーカーの設置が困難であった。
【０００５】
そこで本発明は、従来の技術に内在する前記課題に鑑み、これを好適に解決するべく提案されたものであって、前面側への突出が制約される位置にスピーカーを設置可能に構成した遊技機を提供することを目的とする。
【課題を解決するための手段】
【０００６】
前記課題を解決し、所期の目的を達成するため、本発明の請求項１に係る発明は、
本体部材と、前記本体部材に対して開閉可能に設けられて機前面を形成する前面部材とを備え、前記前面部材にスピーカーを設けた遊技機において、
前記前面部材は、
演出部が臨む窓口が形成されたベース部材と、
前記ベース部材の前面側に着脱可能に設けられて装飾部を有する前側部材とを備え、
遊技媒体の貯留部を有する貯留部材が前記ベース部材の窓口より下方に位置するよう配置されると共に、当該窓口の下部側に位置する前記前側部材の前記ベース部材に対する前方への突出幅を、当該窓口の上部側に位置する前記前側部材の前記ベース部材に対する前方への突出幅より低くなるよう構成すると共に、
前記ベース部材の窓口に対して、遊技媒体の貯留部を有する貯留部材の配置側に位置する前記前側部材の裏側に形成された開口部に、振動板を支持するフレーム体により当該振動板の裏側空間を密閉するよう構成したスピーカーを臨ませるよう取り付けたことを要旨とする。
このように、振動板を支持するフレーム体により当該振動板の裏側空間を密閉するよう構成したスピーカーを用いることで、ベース部材に対する前方への突出幅が低い前側部材の裏側にスピーカーを設置しつつ良好な音響効果を実現することができる。また、遊技者が触れる遊技媒体を貯留する貯留部材の配置側にスピーカーが位置することで、より高い音響効果を実現できる。
【０００７】
請求項２に係る発明は、
前記ベース部材における前記窓口の上部位置と下部位置に設けたスピーカー設置部に、振動板を支持するフレーム体に開口部を有して当該振動板の裏側空間が開放したスピーカーが取り付けられると共に、当該スピーカー設置部にスピーカーの後方を密閉する箱体を設けたことを要旨とする。
このように、ベース部材における窓口の上部位置と下部位置に設けたスピーカー設置部にスピーカーの後方を箱体で密閉するエンクロージャ構造とすることで、遊技機全体として再現可能な音域を拡げることができ、良好な音響効果を実現できる。
【０００８】
請求項３に係る発明は、
前記窓口を透視可能に覆う透視保護部材で前記スピーカーの裏側を透視可能に覆うよう構成したことを要旨とする。
このように、スピーカーの裏側を視保護部材で透視可能に覆うことで、スピーカーを保護しつつ状態を容易に確認することができる。
【発明の効果】
【０００９】
本発明に係る遊技機によれば、遊技媒体を貯留する貯留部材の近傍のように前面側への突出が制約される位置にスピーカーを設置して良好な音響効果を実現することができる。
【図面の簡単な説明】
【００１０】
【図１】本発明の好適な実施例に係るパチンコ機を示す正面図である。
【図２】実施例に係る前枠ベース部材における上枠部の前面を示す拡大図であって、(a)は、上枠部に取付基材を取り付けた状態を示し、(b)は上枠部から取付基材を取り外した状態を示す。なお、左側の第１のホーン部材はシール材の図示を省略してある。
【図３】図２のＡ−Ａ線位置での断面図であって、枠装飾カバーを取り付けた状態を示す。
【図４】取付基材と、第２のホーン部材と、枠装飾カバーとを分解した状態で示す断面図である。
【図５】(a)は図２のＡ−Ａ線位置での断面図であって、第１のホーン部材を配設した前枠ベース部材に、第２のホーン部材を配設した取付基材を取り付ける状態を示し、(b)は、ガイド部を示す概略断面図である。
【図６】(a)は、前枠ベース部材の左枠部における中段スピーカーの取付位置を拡大した背面図であり、(b)は、(a)のＢ−Ｂ線位置での断面図である。
【図７】(a)は前枠を下段スピーカーの配置位置で横断した概略断面図であり、(b)は下段スピーカーと下部箱体とを示す分解斜視図である。
【図８】別実施例に係る第１ホーン部の接続口および第２ホーン部の接続口を拡大して示す断面図であって、(a)は前枠ベース部材に第２のホーン部材を配設した取付基材を取り付ける状態を示し、(b)は前枠ベース部材に取付基材を取り付けた状態を示す。
【発明を実施するための形態】
【００１１】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、図１に示すようにパチンコ機１０を前側(遊技者側)から見た状態で指称する。
【実施例】
【００１２】
実施例に係るパチンコ機１０は、図１に示すように、前方へ開口するよう形成されて遊技店の図示しない設置枠台に設置される基体と、前記基体の前側開口を覆うよう当該基体に対して開閉可能に支持されて遊技機前面を形成する前面部材とを備えており、当該基体や前面部材を設置基材として各種部材を設置することで遊技機が構成されるようになっている。具体的に、パチンコ機１０の基体は、前後に開口する矩形枠状に形成されて遊技店の図示しない設置枠台に縦置き姿勢で設置される期待としての外枠１１の開口前面側に、本体枠としての中枠１２がヒンジ１８を介して開閉および着脱可能に組み付けて構成されており、当該中枠１２に遊技盤２０が着脱可能に配設されると共に、当該遊技盤２０に各種演出部が設けられている。なお、演出部としては、各種図柄を表示可能な液晶パネルを収容ケースに収容した液晶表示装置や、ドラム式の図柄表示装置、ドットマトリックス式の図柄表示装置等の各種図柄を停止および変動表示可能な演出表示部や可動体(何れも図示せず)等である。
【００１３】
そして、前記中枠１２の前面側には、前記遊技盤２０の前側で前後に開口する窓口１３ａが形成された前枠１３がヒンジ１８を介して開閉可能に組み付けられている。そして、前枠１３には、ガラス板や透明な合成樹脂材で形成された透視保護部材１７が窓口１３ａを後方から覆うよう配設されており、遊技盤２０を前側から目視可能な状態で保護している。すなわち、前枠１３の窓口１３ａ(透視保護部材１７)の後方に臨むよう前記遊技盤２０の演出部が位置して、当該前枠１３の窓口１３ａ(透視保護部材１７)を介して前側から目視し得るようになっている。また、前記外枠１１と中枠１２とおよび中枠１２と前枠１３の夫々は、前記ヒンジ１８とは反対側の側部(開放端)に設けられた施錠機構１９により相互に閉鎖した閉鎖状態に保持されて、パチンコ機１０の前面側から鍵により解錠操作することで開放し得るよう構成されている。そして、前枠１３の前面下部位置に、パチンコ球を貯留する上球受け皿１４および下球受け皿１５が上下に離間して設けられており、前枠１３と一体的に上下の球受け皿１４,１５を中枠１２に対して開閉可能に構成されている。この球受け皿１４,１５は、上方に開口した球貯留部１４ａ,１５ａを備えた皿状部材であり、各球貯留部１４ａ,１５ａに所定数のパチンコ球を貯留可能になっている。
【００１４】
図１に示すように、前記パチンコ機１０の前面右下部には、中枠１２に配設された打球発射装置(図示せず)を作動させる操作ハンドル１６が設けられている。前記操作ハンドル１６は、左回転方向に付勢された操作レバー１６ａを備えており、該操作レバー１６ａを右回転するよう遊技者が回動操作することで打球発射装置(図示せず)が作動されて、前記上球受け皿１４に貯留されたパチンコ球が前記遊技盤２０の遊技領域に向けて１球ずつ発射されるようになっている。ここで、前記操作レバー１６ａの回動量に応じて前記打球発射装置によるパチンコ球の打球力が強弱変化するよう構成されており、遊技者が操作レバー１６ａの回動量を調節することで、前記遊技領域へのパチンコ球の発射位置(到達位置)を任意に変更し得るようになっている。また、実施例では、上下の球受け皿１４,１５を前枠１３に設けるよう構成したが、当該上下の球受け皿１４,１５の一方または両方を前記中枠１２の前面に対して個別に開閉可能に組み付けるようにしてもよく、また球受け皿を１つだけ備える構成とすることも可能である。
【００１５】
前記遊技盤２０は、ベニヤ材や合成樹脂材により形成された略矩形状の板部材の前面(盤面)に、略円形状に湾曲させた案内レール２１が配設されており、該案内レール２１により遊技領域が略円形に画成されている。この遊技盤２０には、各種の遊技盤２０設置部品が取り付けられると共に、遊技領域の最下部位置には、該遊技領域に打ち出されたパチンコ球を排出するアウト口が開設されている。実施例の遊技盤２０には、遊技領域の略中央に、前後に開口するセンター役とも称される枠状装飾体が取り付けられ、該枠状装飾体の開口部を介して演出表示部が遊技盤２０の前面側に臨むよう構成されている。
【００１６】
また、前記遊技盤２０には、前記遊技盤２０設置部品として、パチンコ球が入賞可能な各種の入球部(始動入賞部、特別入賞部等)や、装飾部品等の各種の遊技盤２０設置部品が設けられており(何れも図示せず)、遊技領域に打ち出されたパチンコ球が入賞部に入賞することで、遊技者に有利な大当り遊技等の特別遊技状態を生起させるか否かの当否判定や、所定数の賞球の払い出し等が行われることで、所期の遊技が行われるようになっている。具体的に、パチンコ球の入球(入賞)を契機として当否判定が行われる始動入賞部や、大当りの発生に伴ってパチンコ球が入球(入賞)可能となる特別入賞部等が遊技盤２０に配設されている。
【００１７】
前記前枠１３は、中枠１２の外郭形状に略合致する板状に形成された前枠ベース部材３０に前後方向に開口する窓口１３ａが開設されている。そして、前記前枠ベース部材３０において窓口１３ａの上縁側を形成する上枠部３１、左縁側を形成する左枠部(図示せず)および右縁側を形成する右枠部３３の前側に、前方に膨出して後側に開放する枠装飾カバー３６が夫々配設されている。また、前記前枠ベース部材３０において窓口１３ａの下縁側を形成する下枠部３４の前面に、パチンコ球を貯留可能な皿状の前記上球受け皿１４および下球受け皿１５が上下の位置関係で配設されると共に、当該下球受け皿１５の右側方に前記操作ハンドル１６が配設されている。また、前記前枠ベース部材３０の下枠部３４には、前記上球受け皿１４の上面および前面を覆う上球皿装飾カバー３７が配設されると共に、下球受け皿１５および下段スピーカー７０(後述)の前面側を連続的に覆う下球皿装飾カバー３８が取り付けられている。すなわち、前枠１３の窓口１３ａは、上および左右の枠装飾カバー３６と上球皿装飾カバー３７とによって囲まれるように形成されて、これら装飾カバーにより窓口１３ａの周囲の意匠面を構成すると共に、該上球皿装飾カバー３７や下球皿装飾カバー３８によって前枠１３の下部側の意匠面を構成している。なお、各枠装飾カバー３６の内側には、前面に発光体を実装した発光基板(図示せず)が夫々配設されており、当該発光体の光によって枠装飾カバー３６を内側から発光させ得るよう構成されている。
【００１８】
ここで、前記上枠部３１の枠装飾カバー３６は、前記左枠部３２および右枠部３３の枠装飾カバー３６よりも前後寸法が嵩高くなるよう形成されている。具体的には、上枠部３１の枠装飾カバー３６は、上球受け皿１４の球貯留部と上下に重なる位置まで前側に飛び出た立体形状に形成される一方で、前記左枠部３２および右枠部３３の枠装飾カバー３６は、上球受け皿１４の球貯留部より後方に位置する形状に形成されており、立体的な意匠形状を確保しつつ上球受け皿１４の球貯留部に貯留されたパチンコ球に遊技者が容易に触れられるようになっている。また、上球皿装飾カバー３７において左枠部３２および右枠部３３の枠装飾カバー３６に連なる上面装飾部１７ａも同様に、上球受け皿１４の球貯留部１４ａより後方に位置する形状に形成されている。
【００１９】
図１に示すように、前記前枠１３は、遊技に関する効果音や音声、警告音などの各種の音を出力し得るスピーカー４０,６０,７０を複数備えている。このスピーカー４０,６０,７０は、窓口１３ａの上部側と下部側とに分けて配置され、実施例では遊技盤２０の遊技領域が臨む前記窓口１３ａの上部側と下部側との夫々にスピーカー４０,６０,７０が配設されている。具体的に、前枠１３における上枠部３１に左右に離間して２基のスピーカー(上段スピーカー４０という)が配設されると共に、前枠１３の左枠部３２および右枠部３３の下部の夫々に１基ずつスピーカー(中段スピーカー６０という)が配設されている。更に、実施例の前枠１３には、前記前枠１３ベースにおける前記下球受け皿１５および操作ハンドル１６の間のスペースにスピーカー(下段スピーカー７０という)が配設されている。すなわち、実施例の前枠１３には、窓口１３ａの四隅に位置するよう上段スピーカー４０および中段スピーカー６０が配設されると共に、高さ位置の異なる複数の段階にスピーカー４０,６０,７０が配設されて、立体的な広がりのある音を再現できるようになっている。ここで、前記上段スピーカー４０および下段スピーカー７０には、音を出力する振動板からなる出力部４０ａ,７０ａを支持するフレーム体４０ｂ,７０ｂに開口部４０ｃ,７０ｃを有して当該出力部４０ａ,７０ａの裏側空間が開放したスピーカーが用いられると共に(図３、図７参照)、前記中段スピーカー６０には、出力部６０ａを支持するフレーム体６０ｂにより当該出力部６０ａの裏側空間を密閉するよう構成したスピーカーが用いられている(図６参照)。
【００２０】
前記窓口１３ａの上部に設けられた上段スピーカー４０は、部品構成および前枠１３に対する設置構成が基本的に同じであることから、主として右側に位置する上段スピーカー４０を参照して説明し、左側に位置する上段スピーカー４０については説明を省略する。
【００２１】
図２〜図５に示すように、前記前枠ベース部材３０の上枠部３１には、左右に離間する位置に上段スピーカー４０の取付部(第１のスピーカー取付部４１)が形成されている。この第１のスピーカー取付部４１は、前枠ベース部材３０の上縁に向かうにつれて前側に偏倚する傾斜状に形成されると共に、前後に開口するよう開口部(スピーカー用開口部４１ａ)が形成されており、当該スピーカー用開口部４１ａに出力部４０ａを臨ませた状態で前記段スピーカーが第１のスピーカー取付部４１の後面側に取り付けられている。すなわち、上段スピーカー４０は、出力部４０ａを前側下方に向けた姿勢で、前記第１のスピーカー取付部４１の後面側に配設されている。
【００２２】
また、前記前枠ベース部材３０の後面には、前方に開口する上部箱体４２(箱体)が前記上段スピーカー４０の後方を覆うよう取り付けられており、当該前枠ベース部材３０および上部箱体４２により上段スピーカー４０のエンクロージャーを構成するようになっている。この上部箱体４２における前枠ベース部材３０との当接端部には、ゴム等からなるシール材 (図示せず)が設けられており、上段スピーカー４０における出力部４０ａの裏側に密閉された空気室４２ａを有するエンクロージャーが構成される。なお、上部箱体４２は、合成樹脂等により光を透過可能に構成されている。すなわち、上部箱体４２を介して内部の上段スピーカー４０を目視し得るようになっている。なお、前記上部箱体４２は、前記上段スピーカー４０の配置位置において透視保護部材１７の前面より後方へ突出するよう構成されている。また、前記上部箱体４２は、左右の上段スピーカー４０の後方を一体的に覆うよう構成されており、これにより上部箱体４２により画成される空気室４２ａの容積を確保している。
【００２３】
また、図２〜図５に示すように、前記前枠１３には、前記上段スピーカー４０の出力部４０ａ側にスピーカーホーン４６,５１が設けられている。このスピーカーホーンは、複数のホーン部材に設けられたホーン部が繋がる(連結する)ことで１つのホーンを形成するようになっている。具体的に、前記上段スピーカー４０の出力部４０ａの前側に位置する第１ホーン部４６が形成された第１のホーン部材４５と、当該第１ホーン部４６の前側に位置する第２ホーン部５１が形成された第２のホーン部材５０とを備えており、当該第１ホーン部４６と第２ホーン部５１とが繋がることで１つのスピーカーホーンを形成している。
【００２４】
ここで、前記第１のホーン部材４５は、第１ホーン部４６の後方開口を前記スピーカー用開口部４１ａに整合させた状態で前記前枠ベース部材３０の第１のスピーカー取付部４１の前面側に取り付けられている。すなわち、上段スピーカー４０の出力部４０ａが第１ホーン部４６の内側に臨んで、当該上段スピーカー４０の音が第１ホーン部４６の内側に出力されるようになっている。また、前記第１のホーン部材４５には、前記第２ホーンが繋がる前記第１ホーン部４６の前方開口(接続口４６ａ)の開口端部にゴム等の弾性を有するシール材４７が取り付けられている。なお、シール材４７には、第１ホーン部４６の接続口４６ａに合わせた開口部５７ａが形成されており、当該第１ホーン部４６の接続口４６ａをシール材４７で塞がないよう構成されている。
【００２５】
また、前記第２のホーン部材５０は、図２〜図５に示すように、前記前枠ベース部材３０の前面側に配設される取付基材５５(前側部材)に取り付けられている。この取付基材５５は、前記前枠ベース部材３０における上枠部３１の前面に着脱可能に配設されるよう構成されて、当該取付基材５５に対して前記窓口１３ａの上縁側を装飾する前記枠装飾カバー３６や発光基板が配設されるようになっている。すなわち、装飾部としての枠装飾カバー３６を有する取付基材５５に第２ホーン部５１を設けてある。
【００２６】
この前記取付基材５５は、前記前枠ベース部材３０の左右の第１のスピーカー取付部４１に取り付けられた左右の第１のホーン部材４５の間に亘って延在すると共に、各第１のホーン部材４５の前側を覆うよう形成されている。また、前記取付基材５５には、各第１ホーン部４６の接続口４６ａと対応する位置に取付口５５ａが形成されており、前記第１ホーンが繋がる第２ホーン部５１の後方開口(接続口５１ａ)を前記取付基材５５の取付口５５ａに整合させた状態で当該取付基材５５の前面側に前記第２のホーン部材５０が取り付けられている。これにより、前枠ベース部材３０に設けた第１ホーン部４６と、取付基材５５に設けた第２ホーン部５１とが繋がって(連結して)、全体で１つのスピーカーホーンを形成している。また前記取付基材５５を前枠ベース部材３０に取り付けた状態で、前記第１ホーン部４６の接続口４６ａに設けたシール材４７が取付基材５５の取付口５５ａの開口縁に当接するよう構成され、第１ホーン部４６と第２ホーン部５１とが気密状態で繋がるようになっている。
【００２７】
ここで、図２、図５に示すように、前記前枠ベース部材３０および前記取付基材５５には、当該前枠ベース部材３０に対して取付基材５５を所定方向にスライド移動可能に支持するガイド部５７,５８が形成されており、ガイド部５７,５８に沿って取付基材５５をスライド移動することで前枠ベース部材３０に対して取付基材５５を着脱し得るよう構成されている。具体的に、前記前枠ベース部材３０には、前記上枠部３１の前面に上下方向に延在する第１のガイド部５７が左右に離間する位置に設けられると共に、前記取付基材５５の後面側には、上下方向に延在する第２のガイド部５８が左右に離間する位置に形成されており、当該第１のガイド部５７に第２のガイド部５８を沿わせるように取付基材５５を上下方向にスライド移動することで着脱し得るようになっている。ここで、前記各第１のガイド部５７は、前枠ベース部材３０から前方へ突出すると共に上下方向に延在する第１支持部５７ａと、当該第１支持部５７ａの突出端に設けられて他方の第１のガイド部５７から離れる方向に延在する第１突出部５７ｂとから断面Ｌ字状に形成され、当該第１突出部５７ｂと前枠ベース部材３０との間に溝を形成するよう構成されている。同様に、前記各第２のガイド部５８は、前記取付基材５５から後方へ突出すると共に上下方向に延在する第２支持部５８ａと、当該第２支持部５８ａの突出端に設けられて互いに近接する方向に延在する第２突出部５８ｂとから断面Ｌ字状に形成されており、前記第１のガイド部５７により形成される溝に第２突出部５８ｂを上方から差し込むことで、取付基材５５を上下方向にスライド移動可能に支持している。なお、前記ガイド部の構成は、これに限られるものではなく、従来公知のガイド構成を採用できる。
【００２８】
ここで、図２に示すように、前記第１のスピーカー取付部４１に取り付けた前記第１ホーン部４６の接続口４６ａは、前上方側に向けて開口するよう形成されると共に、当該第１ホーン部４６の接続口４６ａに合わせて、前記第２ホーン部５１の接続口５１ａは、後下方側に開口するよう形成されている。すなわち、前記第１ホーン部４６および第２ホーンは、夫々の接続口４６ａ,５１ａがなす接続面が前記取付基材５５のスライド移動方向(すなわち上下方向)に対して傾斜するよう構成されている。すなわち、取付基材５５を前枠ベース部材３０に取り付ける際の取付移動方向(すなわち下方移動)に対し、当該取付移動方向の前方に向かうにつれて前枠１３の前方に傾斜するよう各接続口４６ａ,５１ａがなす接続面が形成される。より具体的には、具体的には、前記第１ホーン部４６の接続口４６ａは、当該接続口４６ａの開口端を前端から後方へ向けて上方傾斜する傾斜状に形成されており、前記第２ホーン部５１の接続口５１ａは、当該接続口５１ａの開口端を後端から前方へ向けて下方傾斜する傾斜状に形成されている。すなわち、取付基材５５を前枠ベース部材３０に取り付けるよう前記ガイドに沿って移動させることで、第１ホーン部４６の接続口４６ａに第２ホーン部５１の接続口５１ａが擦り合わせるよう密着すると共に、また取付基材５５を前枠ベース部材３０に取り付けた状態では、その自重により第１ホーン部４６の接続口４６ａに第２ホーン部５１の接続口５１ａが押し当てられて両接続口４６ａ,５１ａの気密性を維持し得るようになっている。なお、実施例における擦り合わせや押し当ての対象は、より正確にはシール材４７の開口部４７ａと取付基材５５の取付口５５ａである。
【００２９】
前記中段スピーカー６０は、部品構成および前枠１３に対する設置構成が基本的に同じであることから、主として右側に位置する中段スピーカー６０を参照して説明し、左側に位置する中段スピーカー６０については説明を省略する。
【００３０】
前記前枠ベース部材３０の左枠部３２および右枠部３３には、図６に示すように、下端部側に前記中段スピーカー６０の取付部(第２のスピーカー取付部６１)が形成されている。前記第２のスピーカー取付部６１は、前記前枠ベース部材３０に前後に貫通するよう形成した開口部(スピーカー設置開口部６２)の開口縁から前方へ突出するよう設けられて、当該第２のスピーカー取付部６１の突出端部に中段スピーカー６０が取り付けられている。すなわち、前記中段スピーカー６０は、前記スピーカー設置開口部６２に位置して、中段スピーカー６０の前端側が前枠ベース部材３０の前面から突出すると共に、当該中段スピーカー６０の後端側が前枠ベース部材３０の裏側に突出するよう配置されている。すなわち、前枠ベース部材３０のスピーカー設置開口部６２に中段スピーカー６０を配置させることにより、透視保護部材１７の前面より中段スピーカー６０を前側に位置させてある。なお、中段スピーカー６０は、その配設位置に合わせて前記上球皿装飾カバー３７の上面装飾部３７ａに形成された開口に臨むよう構成されて、中段スピーカー６０から機前面側に音を出力し得るようにしてある。
【００３１】
また、前枠１３に配設された透視保護部材１７が中段スピーカー６０の後方に重なるように位置しており、当該中段スピーカー６０の裏側を透視可能に覆っている。なお、図６の符号７５は、前記透視保護部材１７の下端部を支持する支持台を示している。前記前枠ベース部材３０の裏側には、前記透視保護部材１７との間に、前記中段スピーカー６０の後方を覆う保護カバー６５が配設されている。この保護カバー６５は、透明な合成樹脂等により形成された板状の部材であり、当該保護カバー６５を介して前枠１３の後方から中段スピーカー６０を目視し得るようになっている。すなわち、前枠１３に透視保護部材１７を着脱する際に、中段スピーカー６０に対して透視保護部材１７が接触するのを当該保護カバー６５により防止している。この保護カバー６５には、前記窓口１３ａから離間する縁部側に、後方へ突出する段差状部６６が設けられており、当該段差状部６６により前記中段スピーカー６０の配設空間および下方に開口する配線挿通部６６ａが形成され、当該配線挿通部６６を介して前記中段スピーカー６０に接続する配線Ｈが前枠１３の後方へ導出されて、図示しない制御基板に接続するようになっている。また、前記段差状部６６は、前記透視保護部材１７の外周縁部に対向位置するよう設けられて、当該段差状部６６により透視保護部材１７の横方向への移動を規制すると共に、透視保護部材１７を前枠１３に取り付ける際には、透視保護部材１７の下端部を支持台７５した状態で、透視保護部材１７の外周縁部を保護カバー６５の段差状部６６に当接することで、透視保護部材１７を位置合わせし得るようになっている。
【００３２】
また、図７に示すように、前記下段スピーカー７０は、下球受け皿１５の側部(右側部)に隣接する位置に設置されている。前記下段スピーカー７０は、端面を互いに当接させて組み合わせた複数の構成体７１ａによって空気室７１ａを内部画成した下部箱体７１(箱体)の内部に位置するよう配設されており、当該下部箱体７１が下球受け皿１５の右側部に位置するよう前記前枠ベース部材３０の下枠部３４に取り付けられている。実施例の下部箱体７１は、前後２つの構成体７１ａによって空気室７１ａを画成している。また、下部箱体７１の前面には、スピーカー開口７２が開設されており、このスピーカー開口７２に出力部７０ａを整合させた状態で下段スピーカー７０が下部箱体７１の内側に取り付けられている。すなわち、下段スピーカー７０は、その出力部７０ａをスピーカー開口７２を介して前側に臨ませた状態で下部箱体７１の空気室７１ａ内に収容されている。また、下段スピーカー７０は、その前面(下部箱体７１の前壁面)が上球受け皿１４および下球受け皿１５の前面と略同じ位置にあるように配置され、パチンコ球を貯留するために前方へ張り出す下球受け皿１５によって前枠ベース部材３０の前側に生じるスペースに、下段スピーカー７０が収容されるよう構成されている。
【００３３】
(実施例の作用)
次に、実施例に係るパチンコ機１０の作用について説明する。
【００３４】
前記前枠１３の前面側に設けられた前記操作ハンドル１６の操作レバー１６ａを遊技者が回転操作することでパチンコ球が前記遊技盤２０の遊技領域内に打ち出され、当該遊技領域を流下するパチンコ球が入球部(始動入賞部)に入賞することを契機として当否判定が行われ、当該当否判定の判定結果に応じて前記演出表示部で図柄変動を実行したり、上段スピーカー４０や中段スピーカー６０、或いは下段スピーカー７０から音を出力して所用の遊技演出が実行される。
【００３５】
前記パチンコ機１０には、各種の音を出力するスピーカー４０,６０,７０の全てを前枠１３に配設してあるから、スピーカー４０,６０,７０を遊技者側に近付けて、スピーカー４０,６０,７０から出力した音の認識度を向上させることができる。例えば中枠１２にスピーカーを設置した場合には、中枠１２に設置スペースを要するばかりでなく、前枠１３に音を前側に通すための空間を付随して確保しなければならない。実施例のパチンコ機１０によれば、全てのスピーカー４０,６０,７０を前枠１３に配設してあるので、中枠１２にスピーカーを設置するためのスペースが不要となるばかりでなく、またそれに付随したスペースをも省略できる。また、スピーカー４０,６０,７０を遊技者に近づけることができ、良好な音質の音による効果的な演出をなし得る。
【００３６】
また、前枠ベース部材３０に第１ホーン部４６を有する第１のホーン部材４５を配設すると共に、当該前枠ベース部材３０に対して着脱可能な取付基材５５に対して第２ホーン部５１を有する第２のホーン部材５０を配設して、前枠ベース部材３０に取付基材５５を取り付けた際に第１ホーン部４６と第２ホーン部５１とが繋がって(連結して)、上段スピーカー４０のスピーカーホーンを形成するようにしてある。すなわち、枠装飾カバー３６が設けられた取付基材５５を取り替えることによりパチンコ機１０のデザイン等を容易に変更し得る一方で、デザイン変更等のために取付基材５５を取り替えた場合でも上段スピーカー４０の出力部４０ａとスピーカーホーン(第１ホーン部４６)との位置関係が変わることがなく、良好な音響効果を発揮させることができる。また、取付基材５５に第２ホーン部５１(第２のホーン部材５０)を設けることで、枠装飾カバー３６とスピーカーホーン(第２ホーン部５１)とを容易に整合させることができると共に、枠装飾カバー３６の形状等に合わせた形状にスピーカーホーン(第２ホーン部５１)を形成することができるから、デザインの自由度が高まる。
【００３７】
また、第１ホーン部４６および第２ホーン部５１は、夫々の接続口４６ａ,５１ａがなす接続面が前記取付基材５５のスライド移動方向(すなわち上下方向)に対して傾斜するよう構成してあるから、前枠ベース部材３０を取り付ける際に第１ホーン部４６の接続口４６ａ(シール材４７の開口部４７ａ)と第２ホーン部５１の接続口５１ａ(取付基材５５の取付口５５ａ)とを擦り合わせるようにして密着させることができ、良好な音響効果を発揮させることができる。また、第１ホーン部４６の接続口４６ａにシール材４７を設けたことにより、第１ホーン部４６の接続口４６ａ(シール材４７の開口部４７ａ)と第２ホーン部５１の接続口５１ａ(取付基材５５の取付口５５ａ)との密着性が高まり、第１ホーン部４６と第２ホーン部５１とに分割した状態でも、スピーカーホーンとしての性能を損なうことがなく、優れた音響効果を実現できる。
【００３８】
特に、第１ホーン部４６の接続口４６ａを開口端の前端から後方へ向けて上方傾斜する傾斜状に形成し、第２ホーン部５１の接続口５１ａを開口端から後端から前方へ向けて下方傾斜する傾斜状に形成することで、取付基材５５の自重により第１ホーン部４６の接続口４６ａ(シール材４７の開口部４７ａ)に第２ホーン部５１の接続口５１ａ(取付基材５５の取付口５５ａ)を密着させて良好な音響効果を発揮させることができる。
【００３９】
また、上段スピーカー４０の裏側に上部箱体４２を設けてエンクロージャーを形勢するようにしたことで、空気室４２ａの内容積を充分に確保し得ると共に、当該上部箱体４２を左右の上段スピーカー４０裏側を囲むようにすることで、空気室４２ａの内容積を確保しつつ前枠１３の裏面からの箱体の突出を抑えることができる。このため、上部箱体４２の裏側に位置する中枠１２側に配設可能なスペースを確保することができる。
【００４０】
また、上球受け皿１４の周囲は、当該上球受け皿１４に貯留したパチンコ球を遊技者が触れやすくする必要があり、前枠ベース部材３０に対する前方への突出幅が低い装飾にせざるを得ない。ここで、中段スピーカー６０は、出力部６０ａを支持するフレーム体６０ｂにより当該出力部６０ａの裏側空間を密閉するよう構成してあるから、当該中段スピーカー６０の裏側にエンクロージャーを形成するための箱体を別途設ける必要がなく、中段スピーカー６０の設置に要する前後スペースを抑制することができる。このため、前枠ベース部材３０に対する前方への突出幅が低い装飾にせざるを得ない位置にもスピーカーを設置しつつ良好な音響効果を実現することができる。また、遊技者が触れるパチンコ球を貯留する上球受け皿１４の配置側に中段スピーカー６０が位置することで、より高い音響効果を実現できる。
【００４１】
また、上段スピーカー４０や下段スピーカー７０として、出力部４０ａ,７０ａを支持するフレーム体４０ｂ,７０ｂに開口部４０ｃ,７ｃを有して当該出力部４０ａ,７０ａの裏側空間が開放したスピーカーを採用し、その裏側を夫々の箱体４２,７１で密閉してエンクロージャーを形成するよう構成することで、これら上段スピーカー４０や下段スピーカー７０の空気室４２ａ,７１ａを中段スピーカー６０と比べて格段に大きくすることができる。すなわち、上段スピーカー４０と、中段スピーカー６０と、下段スピーカー７０とで異なる音域の音を再生可能なスピーカーを採用することができるから、パチンコ機１０全体として再現可能な音域の幅を拡げて良好な音響効果を実現できる。
【００４２】
また、中段スピーカー６０の裏側を透視保護部材１７で透視可能に覆うことで、中段スピーカー６０を透視保護部材１７で保護しつつその状態を目視により容易に確認することができる。また、中段スピーカー６０と透視保護部材１７との間に保護カバー６５を設けることにより、透視保護部材１７が取り付けられていない状態であっても中段スピーカー６０を保護カバー６５で保護しつつその状態を目視により容易に確認することができる。
【００４３】
また、この保護カバー６５に段差状部６６を設けることにより、透視保護部材１７の横方向への移動を規制して前枠１３に安定して透視保護部材１７を設置し得ると共に、透視保護部材１７を前枠１３に取り付ける際には、透視保護部材１７の下端部を支持台７５した状態で、透視保護部材１７の外周縁部を保護カバー６５の段差状部６６に当接させて位置合わせすることができ、透視保護部材１７の設置作業を容易になし得る利点がある。そして、保護カバー６５により中段スピーカー６０が保護されているから、透視保護部材１７を設置する際に中段スピーカー６０に透視保護部材１７が接触するのを防ぐことができる。更に、保護カバー６５に設けた凸状部を利用して中段スピーカー６０の配線Ｈを前枠１３の後方へ導出することができ、中段スピーカー６０の配線処理を容易になし得る。
【００４４】
(別実施例)
次に、別実施例に係るパチンコ機１０について説明する。なお、別実施例に係るパチンコ機１０の基本的な構成は、前述した実施例との同じであることから、異なる部分についてのみ説明する。
【００４５】
別実施例に係るパチンコ機１０のスピーカーホーンは、第１ホーン部４６および第２ホーン部５１の接続口４６ａ,５１ａの一方側に凹状部８０を形成すると共に、当該第１ホーン部４６および第２ホーン部５１の他方側に前記凹状部８０に嵌合可能な凸状部８２を形成するよう構成されている。具体的には、図８に示すように、第１ホーン部４６の接続口４６ａの端部に凸状部８２が形成されると共に、前記取付基材５５の後面側(第２ホーン部５１の接続口５１ａ側)に当該凸状部８２が嵌合可能な凹状部８０が形成されている。前記凸状部８２は、前記取付基材５５のスライド移動方向に延在するよう第１ホーン部４６の接続口４６ａの全周に亘って形成されている。そして、取付基材５５の後面側には、下方に開口する凹状部８０が前記取付口５５ａの外周側に形成されている。すなわち、取付基材５５を前記ガイド部５７,５８に沿って下方にスライド移動することで、第１ホーン部４６の接続口４６ａ側に設けた凸状部８２が、前記取付基材５５の取付口５５ａ(第２ホーン部５１の接続口５１ａ側)に形成した凹状部８０に嵌合し、当該凸状部８２が凹状部８０に嵌合した状態で第１ホーン部４６と第２ホーン部５１とが繋がる(連結する)ようになっている。このように、取付基材５５を前枠ベース部材３０に取り付けた際に凸状部８２と凹状部８０とが嵌合することで、接続した第１ホーン部４６および第２ホーン部５１の気密性を高めることができ、良好な音響効果を発揮させることができる。なお、この別実施例では、第１ホーン部４６のシール材４７を省略してあるが、凸状部８２を避けた位置にシール材４７を設けるようにしてもよい。シール材４７と併用することで、第１ホーン部４６および第２ホーン部５１の気密性をより高めることができる。
【００４６】
(変更例)
本願は前述した実施例の構成に限定されるものではなく、その他の構成を適宜に採用することができる。
(１)  実施例では、ベース部材(前枠ベース部材)の上部に配設されたスピーカー(上段スピーカー)に対応して設けられるスピーカーホーンを第１ホーン部と第２ホーン部とを備えるよう構成したが、これに限られるものではなく、ベース部材の任意の位置に設けたスピーカーのスピーカーホーンに対して適用することができる。また、前面部材(前枠)の後方に位置する構成部材(中枠等)にスピーカーを配設して、前面部材を閉じた際にスピーカーの前側に位置するスピーカーホーンであっても良い。
(２)  実施例では、ベース部材(前枠ベース部材)に対して前側部材(取付基材)を着脱する際に上下方向にスライド移動させるよう構成したが、これに限られるものではなく、前後方向や左右方向等にスライド移動させて着脱する構成とすることもできる。また、前側部材(取付基材)は、ベース部材(前枠ベース部材)に対してスライド移動可能させることなく着脱可能に構成することも可能である。
(３)  実施例では、第１ホーン部および第２ホーン部の接続口の夫々を傾斜状に形成したが、必ずしも接続口を傾斜させなくともよい。また、当該接続口の傾斜方向は、任意に形成することができる。
(４)  実施例では、スピーカーホーンを第１ホーン部および第２ホーン部の２つのホーン部から構成するように下が、３つ以上のホーン部から構成するようにしてもよい。
(５)  実施例では、第１ホーン部の接続口に対して取付基材の取付口が接するよう構成したが、第１ホーン部の接続口と第２ホーン部の接続口とを直接接するよう構成することも可能である。
(６)  実施例では、振動板を支持するフレーム体に開口部を有して当該振動板の裏側空間が開放するスピーカーのスピーカーホーンを複数のホーン部から構成するようにしたが、スピーカーの種類はこれに限られるものではなく、従来公知の各種スピーカーのスピーカーホーンに適用可能である。すなわち、実施例の中段スピーカーのように、振動板を支持するフレーム体により当該振動板の裏側空間を密閉するよう構成したスピーカーのスピーカーホーンを、上部スピーカーと同様に複数のホーン部から構成するようにしてもよい。
(７)  実施例では、遊技機としてパチンコ機を例示して説明したが、これに限られるものではなく、アレンジボール機やピンボール機、スロットマシン機等の各種遊技機に設けられるスピーカーに対しても採用し得る。
【符号の説明】
【００４７】
１２  中枠(本体部材)
１３  前枠(前面部材)
１３ａ  窓口
１４  上球受け皿(貯留部材)
１４ａ  球貯留部(貯留部)
１７  透視保護部材
３０  前枠ベース部材(ベース部材)
３６  枠装飾カバー(前側部材)
３８  上球皿装飾カバー(前側部材)
４０  上段スピーカー(スピーカー)
４０ａ  振動板(出力部)
４０ｂ  フレーム体
４０ｃ  開口部
６０  中段スピーカー(スピーカー)
６０ａ  振動板(出力部)
６０ｂ  フレーム体
６２  スピーカー設置開口部(開口部)
７０  下段スピーカー(スピーカー)
７０ａ  振動板(出力部)
７０ｂ  フレーム体
４０ｃ  開口部
【図１】
2020081029.tif 000003
【図２】
2020081029.tif 000004
【図３】
2020081029.tif 000005
【図４】
2020081029.tif 000006
【図５】
2020081029.tif 000007
【図６】
2020081029.tif 000008
【図７】
2020081029.tif 000009
【図８】
2020081029.tif 000010